【事件の表示】
　平成　８年特許願第１５７８１６号「データ記録再生方式」拒絶査定に対する審判事件［平成１０年　１月　６日出願公開、特開平１０−　　３４３２］について、次のとおり審決する。
【結　論】
　本件審判の請求は、成り立たない。
【理　由】
Ｉ．手続の経緯・本願発明
　本願は、平成８年６月１９日の出願であって、その請求項１及び請求項２に係る発明は、特許請求の範囲の請求項１及び請求項２に記載された事項により特定されるとおりのものであると認める。
　これに対して、平成１５年２月１８日付けで拒絶理由を通知し、期間を指定して意見書を提出する機会を与えたが、請求人からは何らの応答もない。
　
ＩＩ．当審の拒絶理由
　当審において平成１５年２月１８日付けで通知した拒絶の理由は以下のとおりである。
「本件出願の請求項１〜請求項２に係る発明は、その出願前日本国内において頒布された下記の刊行物に記載された発明に基いて、その出願前にその発明の属する技術の分野における通常の知識を有する者が容易に発明をすることができたものであるから、特許法第２９条第２項の規定により特許を受けることができない。
　
　　　記：引用文献一覧
刊行物１：特開平３−３１９２５号公報
刊行物２：特開平１−１８９７５１号公報
刊行物３：特開昭５９−１５８１４２号公報
刊行物４：特開平８−６９３５８号公報
　
（備考）
１．手続の経緯・本願発明
  本願は、平成８年６月１９日の出願であって、請求項１及び請求項２に係る発明は、手続補正書により補正された明細書及び図面の記載からみて、その特許請求の範囲の請求項１及び請求項２に記載されたとおりの以下の事項により特定されるものである。
「【請求項１】各種記録媒体に対してデータの記録、再生を行う各種記録装置が接続されるコンピュータシステムに適用され、記録装置による記録媒体へのデータの記録、再生に際して、記録装置個々にそれぞれ対応するパスワードとコンピュータシステム自体の識別情報とを組み合わせて用いるデータの暗号化、復号化を仮想ドライバプログラムにより行うことを特徴とするデータ記録再生方式。
【請求項２】前記仮想ドライバプログラムは、記録装置の制御を行うと共に、前記パスワードを保存するドライバプログラムと、前記ドライバプログラムに接続され、記録装置個々の前記パスワードを入力するためのパスワード入力手段と、前記ドライバプログラムに接続され、記録装置による記録媒体へのデータの記録、再生に際して、データの暗号化、復号化を行う暗復号化手段と、前記暗復号化手段に接続され、コンピュータシステム自体の識別情報を獲得する識別情報獲得手段とを有することを特徴とする請求項１に記載のデータ記録再生方式。」
　
２．刊行物記載の発明
（１）原審の拒絶理由に引用された刊行物１には、以下の事項が記載されている。
ア．「ディスクドライブを制御するディスクコントローラと、ディスク入出力に必要な制御プログラムが格納されているバイオスと、これらを呼び出す主記憶中のプログラム中にアプリケーションソフトウエアとディスクオペレーションシステムとデバイスドライバと、ディスクにプロテクトをかける為にデータを変換する手段としての拡張バイオスを備え、この拡張バイオスによるデータ変換によりプロテクトをかけることを特徴とするディスクのプロテクト方法。」（第１頁左下欄第５行〜１４行）
　
イ．「［課題を解決するための手段］
　この発明に係るディスクのプロテクト方法は主記憶の中に拡張バイオスを備えたものである。」（第２頁右上欄第３行〜５行）
　
ウ．「第１図において、（１）は主記憶中のプログラム、（２）はプログラム（１）の中にあるアプリケーションソフトウエア、（３）はディスクオペレーションシステム、（４）はデバイスドライバが格納されているファイル、（８）はデータを変換する為の拡張バイオス、（５）はデバイスの入出力を制御するプログラムが格納されているディスクバイオス、（６）はディスクコントローラ、（７）はディスクドライブである。」（第２頁右上欄第１２行〜１９行）
　
エ．「次に動作について説明する。まず、主記憶装置中のプログラム（１）のアプリケーションソフトウエア（２）によりファイル・システムの本体をもつディスクオペレーションシステム（３）をシステムコールし、デバイスドライバであるファイル（４）をリクエストする。次にファイル（４）が拡張バイオス（８）を呼び出し、ここで各セクタ内のデータのみを変換する。更に、デバイスバイオス（５）を呼び出し、ディスクバイオス（５）（「ディスクディスクバイオス（５）」は「ディスクバイオス（５）」の誤記と認める。）がディスクコントローラ（６）に対して、コマンドを出し、ディスクコントローラ（６）はコマンド受け、ディスクドライブ（７）を制御する。」（第２頁右上欄第２０行〜左下欄第１１行）
　
オ．「拡張バイオス（８）では、第４図中のデータ部のＤＡＴＡのみを変換する。変換方法は、第２図に示すように例えば、データ”３Ｄ”（１８）を書き込み時＋１してデータ”３Ｅ”（１９）として書き込み、読み出し時は逆に−１してデータ”３Ｄ”（２０）として読み出す。
　なお、上記実施例ではデータの変換方法としてデータを＋１する方法について説明したが、データの入れ替え等の方法であってもよい。」（第２頁左下欄第１２行〜２０行）
　
　上記アの事項を参照すると、刊行物１には、
　ディスクドライブを制御するディスクコントローラと、ディスク入出力に必要な制御プログラムが格納されているバイオスと、
　これらを呼び出す主記憶中のプログラム中にアプリケーションソフトウエアとディスクオペレーションシステムとデバイスドライバと、ディスクにプロテクトをかける為にデータを変換する手段としての拡張バイオスを備え、
　この拡張バイオスによるデータ変換によりプロテクトをかけることを特徴とするディスクのプロテクト方法が記載されている。
　
　また、上記イ．及びオ．の事項を参照すると、刊行物１には、
　この発明に係るディスクのプロテクト方法は、主記憶の中に拡張バイオスを備え、拡張バイオス（８）では、データ部のＤＡＴＡのみを、＋１して、あるいは、ビットの入れ替えにより変換するものであることが記載されている。
　
　また、ウ．及びエ．の事項を参照すると、
　コンピュータの主記憶装置中のアプリケーションプログラム（２）により、ディスクオペレーションシステム（３）をシステムコールし、デバイスドライバファイル（４）をリクエストすること、及び、
　デバイスドライバファイル（４）は拡張バイオス（９）を呼び出し、拡張バイオス（８）がプロテクトのためのデータ変換を行った後、デバイスドライバファイル（４）は更に、デバイスバイオス（５）を呼び出すこと、及び、
　ディスクバイオス（５）は、ディスクコントローラ（６）を介して、ディスクドライブ（７）を制御すること、並びに、
　拡張バイオス（８）は、コンピュータの主記憶中のプログラムの一部であり、ディスクへのデータ記録時に（＋１などの）暗号化を行い、再生時に（−１などの）復号化を行うことが記載されている。
　
　以上を勘案すると、刊行物１には、
　ディスクに対してデータの記録、再生を行うディスクドライブ（７）が接続されるコンピュータに適用され、ディスクバイオス（５）及びディスクコントローラ（６）により制御されるディスクドライブ（７）によるディスクへのデータの記録、再生に際して、データの暗号化、復号化を、コンピュータの主記憶中のプログラムである拡張バイオス（８）とが行い、
　デバイスドライバファイル（４）は、拡張バイオス（８）を呼び出し、
　拡張バイオス（８）は、ディスクの記録、再生データのＤＡＴＡのみを、データ変換することにより暗号化、復号化を行ってプロテクトを行い、
　更に、デバイスドライバファイル（４）は、データ変換後、ディスクドライブ（７）を制御するディスクバイオス（５）を呼び出すデータの記録再生方法の発明（（以下、「刊行物１記載の発明」という。）が記載されている。
　
（２）刊行物２には、以下の事項が記載されている。
ア．「従来システムでは、オペレーティングシステムカーネルインタフェースとして端末を除いて各デバイスに対するｒデバイスドライバ毎のインタフェースを持つ必要があり、接続するデバイスの数が増大するとオペレーティングシステムカーネルインタフェースも増大するという問題点がある。」（第２頁右下欄第１４行〜２０行）
　
イ．「本発明は、仮想的な同一のドライバーインタフェースを持ち、各デバイスのデバイスドライバーを管理するデバイスドライバー管理領域を具備し、ユーザアプリケーションプログラムからデバイスへのアクセス制御を行う場合、仮想的な同一デバイスドライバーインタフェースによって、デバイスドライバー管理領域をアクセスすることによって、個々のデバイスへのアクセス制御ならびにデバイスドライバー管理領域の管理下の複数デバイスへの同時アクセス制御を可能とし、加えて、デバイスドライバー管理領域の管理下の複数デバイスのデバイスドライバー間のバス経路を設定することにより、各デバイス間の同報的なデータのコピーや１対１のコピー等の動作を可能とする。」（第３頁左上欄第１６行〜右上欄第１０行）
　
ウ．「第２図において、ネットワーク１００から受信したデータをデバイスＡ６２のメモリ９１にコピーする場合、ユーザアプリケーションプログラム５０からの前記要求をオペレーティングシステムカーネルインタフェース１０を介して受信した仮想デバイスドライバーインタフェース１は、まず、仮想デバイスドライバーインタフェース１とバススイッチ２ならびにバススイッチ３との経路３０１，３０２を開き、デバイスドライバ−Ｂ２２を受信待ち状態、デバイスドライバ−Ａ２１を書き込み待ち状態にし、かつ、バススイッチ間の経路３００を開く。ネットワーク１００からのデータの受信通知をデバイスＢ６３を介して受けたデバイスドライバーＢ２２は、受信したデータをバススイッチ３、経路３００、および、バススイッチ２を介してデバイスドライバーＡ２１に送る。その際、デバイスドライバーＡ２１は、バススイッチ２より書き込み待ち状態を解除される。書き込み待ち状態を解除されたデバイスドライバーＡ２１は、受信したデータをデバイスＡ６２のデバイスＡ制御部９０を介して、デバイス間のデバイスドライバーを介した直接データコピーを可能とする。」（第４頁左上欄第１７行〜右上欄第１９行）
　
　上記ア．〜ウ．の事項を参照すると、刊行物２には、
　データの記録・再生を行う複数のデバイスが接続されるコンピュータシステムに適用され、複数のデバイスによるデータの記録、再生を、オペレーティングシステム２００内の、仮想デバイスドライバーインタフェース１を備えた管理領域４０により、各デバイスドライバーＡ，Ｂをマルチに制御するデータの記録再生方式の発明（以下、「刊行物２記載の発明」という。）が記載されている。
　
（３）刊行物３には、以下の事項が記載されている。
ア．「暗号化された１ブロックの入力データＣを転置する過程と、この１ブロックの転置されたデータを複数のワードに分割する過程と、それら分割されたワードをそれぞれ転置する過程、一方のワードに鍵ＫIとシステムコードＫsとを演算し他方のワードに加える過程と、この一対のワードを転置する過程と、もう一方のワードに鍵ＫIとシステムコードＫsとを演算し一方のワードに加える過程とを経て、その結果得られた一対のワードをひとつのブロックとして転置し、平文Ｐを得ることを特徴とする暗号文の復号方法。」（第１頁左下欄第４行〜１４行）
　
イ．「この提案例に於いてはシステムコードなるものを導入する。ここで個々の鍵をＫＲｉｋ＝（Ｋｓｉ，Ｋｉｋ），ＫＲｊｌ＝（Ｋｓｊ，ＫＩｌ）とし　Ｋｓｉを同一のシステムSｉに係る受信機全てに共通なシステムSｉ固有の鍵としてのシステムコード、Ｋｓｊを同一システムSｊに係る受信機全てに共通なシステムSｊ固有の鍵としてのシステムコード、ＫIｋ、Ｋｉｌを夫々各受信機固有の暗号鍵とする。
　尚、同一システム内の単一ユーザに関してシステムコードを単にＫｓ、暗号鍵を単にＫIとして表わしＫＲ＝（Ｋｓ，ＫI）とし…
　このように定められている固有の鍵ＫＲを用いて送信局Ｔｉより受信する２元データを次のように暗号化する。」（第３頁左下欄第２行〜右下欄第５行）
　
ウ．「平文（２元データ）から…入力平文ブロックを作る。・・前転置を施す。…データを２分割する…所定ビットだけ各要素を左へ巡回シフトさせていわばローテイションする…暗号鍵ＫI、システムコードＫｓに依存した演算ｆ１を次式のように行うものとする。…暗号文ブロックＣを得る。…
　このようにして、３２ビットの暗号文ブロックＣを順次平文から３２ビットずつ取り出して得て、それらの暗号文ブロックを順次連ねて暗号文を得て所定の伝送路を介して伝送する如くする（「ずく」は「する」の誤記と認める。）ものである。」（第３頁右下欄第６行〜第４行右下欄第１４行から抽出）
　
　上記イ．の事項を参照すると、刊行物３には、
　システムコードＫｓを導入し、同一のシステムに係る受信機全てに共通なシステムコードＫｓと、各受信機に固有な暗号鍵ＫIとを用いて、データを暗号化することが記載されている。
　
　また、上記ア．の事項を参照すると、刊行物３には、
　暗号化された入力データを鍵ＫIとシステムコードＫｓを用いて演算し、平文Ｐを得る暗号文の復号方法が記載されている。
　
　また、上記ウ．の事項を参照すると、刊行物３には、
　平文から、暗号鍵ＫIとシステムコードＫｓに依存した演算ｆ１を行って、暗号文ブロックＣを得て、暗号文を得る暗号化の方法が記載されている。
　
　以上を勘案すると、刊行物３には、
　同一システムに係る装置全てに共通なシステム固有の鍵としてのシステムコードＫｓと、上記システムに属する個々の装置に対応した鍵ＫＩを用いて、データの暗号化、復号化を行う方法の発明（以下、「刊行物３記載の発明」という。）が記載されている。
　
（４）刊行物４には、以下の事項が記載されている。
ア．「【請求項２】 複数のトラックに分割され、該トラックが所定数のセクタに分割されたディスク状記録媒体における該セクタ毎に情報を記録し、該情報を再生し、上位装置に接続されるディスク記録再生装置において、上記上位装置から情報及び論理アドレスを授受するインターフェース回路手段と、上記インターフェース回路手段に接続され、パスワードを授受したとき、該パスワードを使用し、予め定められた暗号化規則に則り、上記論理アドレスを物理アドレスと相互変換する論理・物理アドレス暗号化変換テーブル手段と、上記論理・物理アドレス暗号化変換テーブル手段に接続され、上記物理アドレスを基に上記ディスク状記録媒体に情報を記録し、該情報を再生する情報記録再生手段と、で構成されることを特徴とするディスク記録再生装置。」（第２頁左欄第１０行〜２５行）
　
イ．「【００１１】そこで、本発明は上記課題に鑑みなされたもので、情報の機密性の保護を十分なものとしたディスク記録再生装置を提供することを、その目的とする。」（第２頁右欄第２６行〜２８行）
　
ウ．「【００２３】パスワード入力手段１２は、上位装置１からのパスワードまたは使用者２がディスク記録再生装置１０に設けられたスイッチなどを切り替えることによるパスワードを取得し、論理・物理アドレス暗号化変換テーブル手段１３に供給する。
【００２４】論理・物理アドレス暗号化変換テーブル手段１３は、パスワード入力手段１２からパスワードを授受したとき、該パスワードを使用し、予め定められた暗号化規則に則り、上記論理アドレスを物理アドレスと相互変換し、暗号化規則を記憶する。」（第３頁左欄第４９行〜右欄第８行）
　
エ．「【００３２】論理・物理アドレス暗号化変換テーブル手段１３は、パスワード入力手段１２からパスワードが供給されたとき、論理アドレスと物理アドレスとの対応関係を暗号化規則に則り割り当てるとともに、情報を暗号化し、暗号化された情報及び物理アドレスを情報記録再生手段１４に供給する。
【００３３】情報記録再生手段１４は、暗号化規則に則り割り当てられた物理アドレスを基に暗号化された情報をディスク状記録媒体３に記録する。」（第３頁右欄第４２行〜５０行）
　
　上記ア．の事項を参照すると、刊行物４には、
　パスワードを授受したとき、該パスワードを使用し、予め定められた暗号化規則に則り、上記論理アドレスを物理アドレスと相互変換する論理・物理アドレス暗号化変換テーブル手段を備えたディスク記録再生装置が記載されている。
　
　また、上記イ．の事項を参照すると、本発明の目的は、データ記録再生装置の、情報の機密性の保護を十分なものとすることであることが記載されている。
　
　また、上記ウ．の事項を参照すると、刊行物４には、
　パスワード入力手段は、上位装置１からのパスワード、または、ディスク記録再生装置１０のスイッチ切り替えによるパスワードを取得して暗号化変換テーブル手段１３に供給し、暗号化変換テーブル手段１３は、該パスワードを利用して、暗号化規則を記憶することが記載されている。
　
　また、上記エ．の事項を参照すると、刊行物４には、
　暗号化変換テーブル手段１３は、パスワードが供給されたとき、論理アドレスと物理アドレスとの対応関係を暗号化規則に則り割り当てるとともに、情報を暗号化し、暗号化された情報及び物理アドレスを情報記録再生手段１４に供給し、
　情報記録再生手段１４は、割り当てられた物理アドレスを基に暗号化された情報をディスク状記録媒体３に記録することが記載されている。
　
　以上を勘案すると、刊行物４には、
　上位装置からのパスワード、または、ディスク記録再生装置からのパスワードを取得して暗号化変換テーブル手段１３に供給するパスワード入力手段１２と、
　パスワードが供給されると、論理アドレスと物理アドレスとの対応関係を暗号化規則に則り割り当てるとともに、情報を暗号化し、暗号化された情報及び物理アドレスを情報記録再生手段１４に供給する暗号化変換テーブル手段１３と、
　割り当てられた物理アドレスを基に暗号化された情報をディスク状記録媒体３に記録する情報記録再生手段１４とを備えたディスク記録再生装置の発明（以下、「刊行物４記載の発明」という。）が記載されている。
　
３．対比・判断
［請求項１］に係る発明について
（１）対比
　
　請求項１に係る発明と刊行物１記載の発明とを対比すると、
ア．刊行物１記載の発明の「ディスク」は、請求項１に係る発明の「記録媒体」に相当する。
　
イ．刊行物１記載の発明の「ディスクドライブ（７）」は、ディスク型記録媒体の記録装置のドライブを意味しているから、請求項１に係る発明の「記録装置」に相当する。
　
ウ．刊行物１記載の発明の主記憶を備えた「コンピュータ」は、請求項１に係る発明の「コンピュータシステム」に相当する。
　
エ．刊行物１記載の発明の「デバイスドライバファイル（４）」及び「拡張バイオス（８）」は、
　デバイスドライバファイル（４）が拡張バイオス（８）を呼び出してデータの暗号化を行わせ、暗号化データをディスクバイオス（５）に供給するものであり、
　これらは、ドライブを制御し、また、データの暗号化、復号化を行う基本入出力システムの一部をなすものであるから、
　データの暗号化、復号化を行うドライバプログラムである点では、請求項１に係る発明の「ドライバプログラム」と一致する。
　
　したがって、両者は、以下の点で一致し、以下の各点で相違する。　
＜一致点＞
　記録媒体に対してデータの記録、再生を行う記録装置が接続されるコンピュータシステムに適用され、記録装置による記録媒体へのデータの記録、再生に際して、データの暗号化、復号化をドライバプログラムにより行うデータ記録再生方式。
　
＜相違点＞
（ア） コンピュータに接続される記録装置が、
　請求項１に係る発明では、各種記録媒体に対してデータの記録、再生を行う各種記録装置であるのに対し、
　刊行物１記載の発明では、ディスクドライブは一つである点。
　
（イ）ドライバプログラムが、
　請求項１に係る発明では、仮想ドライブプログラムであるのに対し、
　刊行物１記載の発明では、一つのディスクドライブに対応したものである点。
　
（ウ）データの暗号化、復号化の手法が、
　請求項１に係る発明では、記録装置個々にそれぞれ対応するパスワードとコンピュータシステム自体の識別情報とを組み合わせて行われるのに対し、
　刊行物１記載の発明では、ディスクの記録、再生データのＤＡＴＡのみをデータ変換して行われる点。
　
（２）判断
　上記の相違点（ア）については、
　コンピュータに複数の各種記録装置を接続して使用すること自体は、通常の使用形態であると認められ、刊行物１記載の発明を、複数の各種記録装置を接続したものとし、各々のデバイスに暗号化、復号化を行うドライバプログラムを設けるようにすることは当業者が容易に推考することができたものである。
　
　また、上記の相違点（イ）については、
　刊行物２には、データの記録・再生を行う複数のデバイスが接続されるコンピュータシステムに適用され、複数のデバイスによるデータの記録、再生を、オペレーティングシステム内の、仮想デバイスドライバーインタフェースを備えた管理領域により、制御するデータの記録再生方式の発明が記載されており、
　この仮想デバイスドライバーインタフェースを備えた管理領域４０は、オペレーティングシステム２００内で、オペレーティングシステムカーネルインタフェース１０と、デバイスドライバＡ、デバイスドライバＢとの間に構成されて、マルチデバイスを管理するプログラムであり、
　
　刊行物２には、コンピュータに各種記装置を接続して使用する場合に、個別の記録装置の制御に限定されない仮想ドライバプログラムを用いることが開示されているから、
　
　刊行物２記載の発明を参照すれば、
　刊行物１記載の発明を、複数の各種記録装置を接続したものとする場合に、仮想ドライバプログラムを採用して、複数の各種記録装置にマルチアクセスできるようにすることは当業者が容易に推考することができたものである。
　
　なお、刊行物１記載の発明の、デバイスドライバファイル（４）及び拡張バイオス（８）は、基本入出力システムの一部であり、刊行物２記載の発明の仮想デバイスドライバーインタフェースを備えた管理領域もオペレーティングシステムのデバイス管理の一部をなすものであるから、
　仮想ドライバプログラムを採用する場合には、オペレーティングシステムのデバイス管理の一部として、データの暗号化、復号化の機能を仮想ドライバプログラムに設けるようにすることは当業者が容易に推考することができたものである。
　
　また、上記の相違点（ウ）については、
　刊行物３には、
　同一システムに係る装置全てに共通なシステム固有の鍵としてのシステムコードＫｓと、上記システムに属する個々の装置に対応した鍵ＫＩを用いて、データの暗号化、復号化を行う方法の発明が記載されており、
　システムに対応したシステムコードと、上記システムに属する個々の装置に対応した鍵を用いて、データの暗号化、復号化を行う方法がの発明が記載されており、
　
　刊行物３記載の発明を参照すれば、
　複数の記録装置が接続されるコンピュータシステムの場合に、
　コンピュータシステムあるいはオペレーティングシステムに対応したシステムコード（システム識別子又はホストコードに相当する。）と、システムに接続する複数の記録装置にそれぞれ対応した鍵（装置個々にそれぞれ対応するパスワードに相当する。）とを組みあわせて用いることにより、データの暗号化、復号化を行うように変更することは、当業者が容易に推考することができたものである。
　
　したがって、請求項１に係る発明は、刊行物１〜刊行物３記載の発明に基いて当業者が容易に発明をすることができたものと認められる。
　
［請求項２］に係る発明について
　請求項２に係る発明は、請求項１記載の発明を引用し、
　データの暗号化、復号化を行う仮想ドライバプログラムを限定し、
　更に、ドライバプログラムと、パスワード入力手段と、暗復号化手段と、識別情報獲得手段とを特定したものに相当しているが、
　
　刊行物４には、
　上位装置からのパスワード、または、ディスク記録再生装置からのパスワードを取得して暗号化変換テーブル手段に供給するパスワード入力手段と、
　パスワードが供給されると、論理アドレスと物理アドレスとの対応関係を暗号化規則に則り割り当てるとともに、情報を暗号化し、暗号化された情報及び物理アドレスを情報記録再生手段に供給する暗号化変換テーブル手段と、
　割り当てられた物理アドレスを基に暗号化された情報をディスク状記録媒体３に記録する情報記録再生手段とを備えたディスク記録再生装置の発明が記載されており、
　
　パスワード入力手段が、上位装置（例えば、コンピュータ）からのパスワードを用いること（コンピュータシステム自体の識別情報を獲得する手段に相当する。）、また、ディスク記録再生装置からのパスワードを取得すること（パスワードを入力手段に相当する。）、及び、これらのパスワードを暗号化手段に供給するとともに、これらのパスワードに応じて、情報の暗号化や論理アドレスと物理アドレスの変換を行うこと（データの記録再生を行うドライバプログラムがパスワードを用いて制御を行うことに相当する。）が示されているから、
　
　刊行物４記載の発明を参照すれば、個々の記録装置からのパスワードを入力手段、コンピュータシステム自体の識別情報を獲得する手段、及び、暗復号化手段を設けること、並びに、論理アドレスと物理アドレスの変換を行うドライバプログラムにパスワードを保存するようにすることは、当業者が容易に推考することができたものである。
　
　したがって、請求項２に係る発明は、刊行物１〜刊行物４記載の発明に基いて当業者が容易に発明をすることができたものと認められる。
　
　なお、データ毎にパスワードを登録し、暗号化したデータと暗号化されていないデータを共存させて記録手段に記録・再生することは周知技術（例、特開昭６１−２３９４６４号公報、第２頁右上欄第１４〜１６行「一連の書き込みデータを暗号化させたときにそのデータについてパスワードを登録する手段」、第３頁右上欄第１９行「暗号化されていないデータを読み出すとき、…」、第３頁左下欄第１５行「暗号化したデータを読み出すとき、…」を参照）であると認められ、
　重要なデータを分割し、異なるパスワードによってそれぞれを記録するようにすることも当業者が容易に推考することができたものである。
　
４．むすび
　以上のとおりであるから、請求項１及び請求項２に係る発明は、刊行物１〜刊行物４記載の発明に基いて当業者が容易に発明をすることができたものと認められるから、特許法第２９条第２項の規定により特許を受けることができない。
　」
　
ＩＩＩ．むすび
　上記の拒絶理由は妥当なものと認められるので、本願は、この拒絶理由によって拒絶すべきものである。
　よって、結論のとおり審決する。